(57)【特許請求の範囲】
【請求項１】
ワイヤハーネスを保持するための保持シートと、発泡体シートとを重ね合わせて積層体を構成し、前記保持シートと前記発泡体シートとの合わせ面間に前記ワイヤハーネスを挟んだワイヤハーネス付き防音材であって、
前記ワイヤハーネスにおける前記保持シート及び発泡体シートの外周縁内側であり、かつ、前記外周縁から外部に引き出された部分の当該外周縁近傍位置において前記ワイヤハーネスを前記保持シートの前記合わせ面を構成する内面に対し固定手段により固定し、
前記固定手段が、前記外周縁からの前記ワイヤハーネスの引き出し方向と直交する方向に沿って延在する粘着テープであって、前記ワイヤハーネスを横断し且つ前記保持シートの前記内面との間で前記ワイヤハーネスを挟むように、前記保持シートの前記内面に貼り付けられる粘着テープであり、当該外周縁近傍位置において前記ワイヤハーネスを固定することで、前記ワイヤハーネスにおける前記外周縁から外部に引き出された部分を、前記発泡体シート側に引っ張った際に、その引っ張り力を前記粘着テープで受け止めることができることを特徴とするワイヤハーネス付き防音材。
【発明の詳細な説明】
【技術分野】
【０００１】
本発明は、自動車のドアなどの内部に配設されるワイヤハーネス付き防音材に関するものである。
【背景技術】
【０００２】
車室内の静音性の向上のために自動車のドアなどの内部に防音シートや防音パッドなどの防音材を配設することが一般に広く行われており、防音材にワイヤハーネスを一体に組み付けることもよく行われている。
【０００３】
図５は、特許文献１に記載されたワイヤハーネス付きの防音材（防音シート付きワイヤハーネスと言うこともできる）を示している。
【０００４】
図５に示すように、このワイヤハーネス付き防音材１０１は、電線保護シート１１０と防音シート１２０を積層して接合し、電線保護シート１１０と防音シート１２０との間にワイヤハーネス１３０を挟み込んだものである。ワイヤハーネス１３０の中間領域には電線留め具１５０が固定されており、各電線留め具１５０の係止部（留め部）が、電線保護シート１１０に形成した貫通孔１１２から外部に突出している。そして、各電線留め具１５０の係止部を、防音を要する場所の支持体（パネル）に設けた係止孔に係止することで、ワイヤハーネス付き防音材１０１の取り付けを行うことができるようになっている。
【先行技術文献】
【特許文献】
【０００５】
【特許文献１】特開２０１４−１８６８０７号公報
【発明の概要】
【発明が解決しようとする課題】
【０００６】
ところで、上述の従来のワイヤハーネス付き防音材１０１では、ワイヤハーネスを、互いに接合した電線保護シート１１０と防音シート１２０との間に単に挟み込んでいるだけであった。従って、例えば、ワイヤハーネス１３０の電線保護シート１１０及び防音シート１２０外に引き出された部分を、防音シート１２０側に図中矢印Ｄのように引っ張った際に、防音シート１２０が破損するおそれがあった。特に防音性の向上などのために防音シート１２０として、紙やセルロース等の成分を含む発泡体シートや発泡倍率の高い発泡体シートを使用した場合には、防音シート１２０の強度が低くなるので、防音シート１２０が僅かの力で破損しやすくなっていた。
【０００７】
本発明は、上述した事情に鑑みてなされたものであり、その目的は、低強度の発泡体シートの破損を極力防止できるようにしたワイヤハーネス付き防音材を提供することにある。
【課題を解決するための手段】
【０００８】
前述した目的を達成するために、本発明に係るワイヤハーネス付き防音材は、下記（１）を特徴としている。
（１）  ワイヤハーネスを保持するための保持シートと、発泡体シートとを重ね合わせて積層体を構成し、前記保持シートと前記発泡体シートとの合わせ面間に前記ワイヤハーネスを挟んだワイヤハーネス付き防音材であって、
前記ワイヤハーネスにおける前記保持シート及び発泡体シートの外周縁内側であり、かつ、前記外周縁から外部に引き出された部分の当該外周縁近傍位置において前記ワイヤハーネスを前記保持シートの前記合わせ面を構成する内面に対し固定手段により固定し、
前記固定手段が、前記外周縁からの前記ワイヤハーネスの引き出し方向と直交する方向に沿って延在する粘着テープであって、前記ワイヤハーネスを横断し且つ前記保持シートの前記内面との間で前記ワイヤハーネスを挟むように、前記保持シートの前記内面に貼り付けられる粘着テープであり、当該外周縁近傍位置において前記ワイヤハーネスを固定することで、前記ワイヤハーネスにおける前記外周縁から外部に引き出された部分を、前記発泡体シート側に引っ張った際に、その引っ張り力を前記粘着テープで受け止めることができることを特徴とするワイヤハーネス付き防音材。
【０００９】
上記（１）の構成のワイヤハーネス付き防音材によれば、強度保持シートにワイヤハーネスを固定しているので、ワイヤハーネスのシート外に引き出された部分を、発泡体シート側に引っ張った際に、その引っ張り力を固定手段で受け止めることができる。その結果、低強度の発泡体シートに無理な力が作用することがなくなり、発泡体シートの破損を防止できる。また、ワイヤハーネスのシート外に引き出された部分を、反対の強度保持シート側に引っ張った際には、強度保持シート自体が相応の強度を持っているので、破損したりすることはない。
【００１０】
更に、上記（１）の構成のワイヤハーネス付き防音材によれば、固定手段として接着テープを用いるので、簡単にワイヤハーネスを強度保持シートに固定することができる。
【発明の効果】
【００１１】
本発明によれば、ワイヤハーネスのシート外に引き出された部分に発泡体シート側への引っ張り力が作用した場合にも、低強度の発泡体シートの破損を極力防止できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本発明の実施形態に係るワイヤハーネス付き防音材の構成と組み立て要領の説明図である。
【図２】図２は、ワイヤハーネスのテープ固定部の斜視図である。
【図３】図３は、実施形態に係るワイヤハーネス付き防音材の作用説明用の断面図である。
【図４】図４は、実施形態に係るワイヤハーネス付き防音材の使用箇所の例を示す図である。
【図５】図５は、従来のワイヤハーネス付き防音材の説明図である。
【発明を実施するための形態】
【００１４】
本発明に関する具体的な実施形態について、各図を参照しながら以下に説明する。
図１は、実施形態のワイヤハーネス付き防音材の構成と組み立て要領の説明図である。
【００１５】
実施形態のワイヤハーネス付き防音材は、自動車のドアの内部に配設されるものである。図１に示すように、このワイヤハーネス付き防音材１は、所定の強度と柔軟性を有する強度保持シート１０と、強度保持シート１０よりも低強度であるが、高い防音性と断熱性を有する発泡体シート２０と、ワイヤハーネス３０と、ワイヤハーネス３０の必要箇所を固定する接着テープ５０と、を備えている。
【００１６】
強度保持シート１０は、ワイヤハーネス３０を保持するための必要な強度を有する樹脂製シートであり、発泡体シート２０よりも薄いシートである。強度保持シート１０の材料としては、ＰＰ（ポリプロピレン）、塩化ビニル、ＰＥ（ポリエチレン）等が挙げられる。また、必要に応じてシートの表面に電磁遮蔽フィルム（導電フィルム、金属箔、金属箔を樹脂フィルムでラミネートした複合フィルム等）が貼り付けられたものを使用してもよい。
【００１７】
発泡体シート２０は、防音性と断熱性を高められるように材料を調整した発泡体（例えば、紙やコーンスターチ等をＰＰに混合した発泡体）や発泡倍率を高めたウレタン等よりなる。このように防音性や断熱性を高めるように成分や発泡仕様等を調整した場合、強度が低くなる可能性が高く、破損しやすくなる。
【００１８】
ワイヤハーネス３０は、基端部にコネクタ４０を取り付け、先端側を複数に分岐させた組電線であり、各分岐線３１〜３４の先端にそれぞれコネクタ４１〜４４を取り付けたものである。ワイヤハーネス３０として、複数の同径導体を等間隔で並列に配置し、これらの導体を絶縁体で構成された被覆部でそれぞれ被覆し、隣接する各被覆部同士を絶縁体で構成された連結部にて一体化してフラット状に形成したフラットケーブルを用いてもよい。
【００１９】
接着テープ５０は、ＰＰや塩化ビニルのフィルム基材の片面に粘着層を形成したものである。
【００２０】
この実施形態のワイヤハーネス付き防音材１は、強度保持シート１０と発泡体シート２０とを重ね合わせて接合することにより積層体を構成し、強度保持シート１０と発泡体シート２０との合わせ面間にワイヤハーネス３０を挟んたものである。ワイヤハーネス３０の各分岐線３１〜３４の端末部は、強度保持シート１０及び発泡体シート２０の外周縁１０Ｅ、２０Ｅから外部に引き出されている。そして、それら外部に引き出された部分の近傍位置において各分岐線３１〜３４が、図２に示すように、強度保持シート１０の内面１０Ａに対し接着テープ５０（固定手段）で固定されている。
【００２１】
このワイヤハーネス付き防音材１を製造する場合は、図１に示すように、強度保持シート１０の内面１０Ａ上にワイヤハーネス３０を配索し、ワイヤハーネス３０の各分岐線３１〜３４の端末部の近傍部分を、接着テープ５０で強度保持シート１０の内面１０Ａに固定する。次いで、強度保持シート１０の上に発泡体シート２０を積層して、接着や溶着等により強度保持シート１０及び発泡体シート２０を接合する。こうすることにより、実施形態のワイヤハーネス付き防音材１を完成させることができる。このようにワイヤハーネス３０は、強度保持シート１０と発泡体シート２０の間に挟み込まれることによって、強度保持シート１０及び発泡体シート２０と一体化されている。
【００２２】
なお、強度保持シート１０と発泡体シート２０の外周縁１０Ｅ、２０Ｅの輪郭は、互いに一致するように形成しておいてもよいが、発泡体シート２０の外周縁２０Ｅの輪郭を、強度保持シート１０の外周縁１０Ｅの輪郭よりも若干内側に形成しておいてもよい。
【００２３】
このように構成したワイヤハーネス付き防音材１は、図４に示すように、自動車のドアパネル３とドアトリム５の間に配設することで、簡単にドアに内装することができる。その際、ドアトリム５の裏（内面）にワイヤハーネス付き防音材１を取り付け、そのドアトリム５をドアパネル３に固定すればよい。
【００２４】
この実施形態のワイヤハーネス付き防音材１によれば、強度保持シート１０にワイヤハーネス３０の各分岐線３１〜３４の端末近傍部分を接着テープ５０で固定しているので、強度保持シート１０及び発泡体シート２０外に引き出された分岐線３１〜３４の端末部分を、図３中の矢印Ａのように発泡体シート２０側に引っ張った際に、その引っ張り力を接着テープ５０で受け止めることができる。その結果、低強度の発泡体シート２０に無理な力が作用することがなくなり、発泡体シート２０の破損を防止できる。
【００２５】
また、強度保持シート１０及び発泡体シート２０外に引き出された分岐線３１〜３４の端末部分を、図３中の矢印Ｂのように反対の強度保持シート１０側に引っ張った際には、強度保持シート１０自体が相応の強度を持っているので、破損したりすることはない。従って、ワイヤハーネス付き防音材１の品質向上を図ることができる。特にこの場合は、固定手段として接着テープ５０を用いているので、簡単にワイヤハーネス３０の必要部分を強度保持シート１０に固定することができる利点もある。しかし、接着テープ以外の固定手段によりワイヤハーネス３０を固定してもよい。
【００２６】
また、ワイヤハーネス３０の分岐線３１〜３４を接着テープ５０で固定することにより、分岐線３１〜３４を正しい位置に配索固定することができる。そのため、他の位置決め手段を用いて分岐線３１〜３４を位置決めしておく必要がなく、手間が省けて加工工数の削減を図ることができる。
【００２７】
また、ワイヤハーネス３０を強度保持シート１０や発泡体シート２０と一体化させているので、ワイヤハーネスを単独で配索する場合に比べて、ワイヤハーネスの取付部材やワイヤハーネス用の支持部などを削減することができる。従って、ワイヤハーネス配設部位（自動車のドア）の薄型化や軽量化が図れてコストダウンに寄与することができる。また、ドアトリムにワイヤハーネスや防音シートをバラに組み付けるのと違って、組付性の向上が図れるため、組み立てライン長の短縮が図れる。
【００２８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２９】
例えば、上記実施形態のワイヤハーネス付き防音材１は、自動車のドア（車両側面のドア）に適用するものの場合を説明したが、本発明は、ルーフ、バックドア、あるいはフロア等にワイヤハーネス及び防音シートを配設する場合にも適用することができる。
【００３０】
ここで、上述した本発明に係るワイヤハーネス付き防音材の実施形態の特徴をそれぞれ以下［１］〜［２］に簡潔に纏めて列記する。
［１］  ワイヤハーネス（３０）を保持するための保持シート（強度保持シート１０）と、発泡体シート（２０）とを重ね合わせて積層体を構成し、前記保持シート（強度保持シート１０）と前記発泡体シート（２０）との合わせ面間に前記ワイヤハーネス（３０）を挟んだワイヤハーネス付き防音材（１）であって、
前記ワイヤハーネス（３０）における前記保持シート（強度保持シート１０）及び発泡体シート（２０）の外周縁（１０Ｅ、２０Ｅ）内側であり、かつ、前記外周縁から外部に引き出された部分（分岐線３１〜３４）の当該外周縁近傍位置において前記ワイヤハーネス（３０）を前記保持シート（強度保持シート１０）の前記合わせ面を構成する内面（１０Ａ）に対し固定手段（５０）により固定したことを特徴とするワイヤハーネス付き防音材（１）。
［２］  前記固定手段が、前記保持シート（強度保持シート１０）の前記内面（１０Ａ）に貼り付けられる接着テープ（５０）であることを特徴とする上記［１］に記載のワイヤハーネス付き防音材（１）。
【符号の説明】
【００３１】
１  ワイヤハーネス付き防音材
１０  強度保持シート
１０Ａ  内面
１０Ｅ  外周縁
２０  発泡体シート
２０Ｅ  外周縁
３０  ワイヤハーネス
３１〜３４  分岐線
５０  接着テープ（固定手段）
【図１】
0006751999.tif 000002
【図２】
0006751999.tif 000003
【図３】
0006751999.tif 000004
【図４】
0006751999.tif 000005
【図５】
0006751999.tif 000006